(57)【要約】【課題】ユーザが美容成分の効果を欲しないときには美容成分の消費をできるかぎり抑制するヘアドライヤーを提供するものである。【解決手段】吸入口から吹出口へ向かう空気流を生成するファンと、空気流に霧化された液滴を付与する霧化装置と、保持する美容成分を空気流に含まれる液滴を媒体として空気流に放出する美容成分保持部材と、美容成分を空気流に放出する美容モードと放出させない非美容モードとを切り替える切替部と、切替部によって美容モードから非美容モードに切り替えられた場合に、空気流の美容成分保持部材への流入を遮断する遮断機構とを備えるヘアドライヤーを提供する。【選択図】図３
2019111153.tif 000002
【特許請求の範囲】
【請求項１】
吸入口から吹出口へ向かう空気流を生成するファンと、
前記空気流に霧化された液滴を付与する霧化装置と、
保持する美容成分を前記空気流に含まれる前記液滴を媒体として前記空気流に放出する美容成分保持部材と、
前記美容成分を前記空気流に放出する美容モードと放出させない非美容モードとを切り替える切替部と、
前記切替部によって前記美容モードから前記非美容モードに切り替えられた場合に、前記空気流の前記美容成分保持部材への流入を遮断する遮断機構と
を備えるヘアドライヤー。
【請求項２】
前記切替部は、ユーザが操作する操作スイッチであり、
前記遮断機構は、前記美容モードから前記非美容モードに切り替える前記ユーザの操作に連動して、前記空気流の前記美容成分保持部材への流入を遮断するように遮断部材を駆動する請求項１に記載のヘアドライヤー。
【請求項３】
前記遮断機構は、前記美容成分保持部材のうち、前記空気流が流入する開口側を遮断する請求項１または２に記載のヘアドライヤー。
【請求項４】
前記霧化装置は、
結露面を冷却して前記空気流中に含まれる水分を結露させる結露部と、
前記結露面を接地電極として放電を発生させる放電電極と
を有し、前記放電電極と前記結露面との間で発生させる放電により静電霧化した前記液滴を生成する請求項１から３のいずれか１項に記載のヘアドライヤー。
【請求項５】
前記霧化装置は、前記非美容モードの状態では、前記結露部の結露面を冷却し、前記放電電極では前記放電を発生させない請求項４に記載のヘアドライヤー。
【請求項６】
前記霧化装置を通過するが前記美容成分保持部材を通過しない空気流路を備える請求項５に記載のヘアドライヤー。
【発明の詳細な説明】
【技術分野】
【０００１】
本発明は、ヘアドライヤーに関する。
【背景技術】
【０００２】
コラーゲンなどの美容成分を空気流に乗せて毛髪に放散するヘアドライヤーが知られている（例えば、特許文献１参照）。このような美容成分は、交換式のカートリッジ等によりヘアドライヤーに供給される。カートリッジは、美容成分が消尽されると新しいものに交換される。
【先行技術文献】
【特許文献】
【０００３】
【特許文献１】特開２０１５−１９８５４号公報
【発明の概要】
【発明が解決しようとする課題】
【０００４】
美容成分は、ヘアドライヤーの使用に伴って徐々に消費されるので、効果を持続させるためには美容成分を追加する必要がある。カートリッジ式であれば新しいものに交換し、注入式であれば追加の溶液を注入する。いずれにしても、新たな美容成分を供給するためには、その費用が発生する。したがって、ユーザが美容成分の効果を欲しないときには、できるだけ美容成分の消費を抑制したい。
【０００５】
本発明は、このような問題を解決するためになされたものであり、ユーザが美容成分の効果を欲しないときには美容成分の消費をできるかぎり抑制するヘアドライヤーを提供するものである。
【課題を解決するための手段】
【０００６】
本発明の一態様におけるヘアドライヤーは、吸入口から吹出口へ向かう空気流を生成するファンと、空気流に霧化された液滴を付与する霧化装置と、保持する美容成分を空気流に含まれる液滴を媒体として空気流に放出する美容成分保持部材と、美容成分を空気流に放出する美容モードと放出させない非美容モードとを切り替える切替部と、切替部によって美容モードから非美容モードに切り替えられた場合に、空気流の美容成分保持部材への流入を遮断する遮断機構とを備える。
【発明の効果】
【０００７】
本発明により、ユーザが美容成分の効果を欲しないときには美容成分の消費をできるかぎり抑制するヘアドライヤーを提供することができる。
【図面の簡単な説明】
【０００８】
【図１】本実施形態に係るヘアドライヤーの全体斜視図である。
【図２】カートリッジを装着する様子を示す部分拡大図である。
【図３】分岐流取り込み時のハウジングの中央断面の様子を模式的に示す図である。
【図４】分岐流遮断時のハウジングの中央断面の様子を模式的に示す図である。
【図５】ヘアドライヤーのシステム構成図である。
【図６】カートリッジの全体斜視図である。
【図７】他の実施例におけるハウジングの中央断面の様子を模式的に示す図である。
【図８】シャッタの閉口時における空気流の流れを模式的に示す図である。
【図９】シャッタの開口時における空気流の流れを模式的に示す図である。
【発明を実施するための形態】
【０００９】
以下、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１０】
図１は、本実施形態に係るヘアドライヤー１００の全体斜視図である。ヘアドライヤー１００は、主に、温風や冷風を発生させる本体ユニット１１０と、ユーザが把持するグリップユニット１８０を備える。ヘアドライヤー１００は、ＡＣ電源から供給される電力によって、熱や空気流を発生させる。
【００１１】
本体ユニット１１０は、筐体であるハウジング１１６が外周を取り囲んで円筒形状を成し、一端側の開口である吸入口１１１から外気を取り入れ、他端側の開口である吹出口１１２から調整された空気流を吹き出す。吹出口１１２は、２つに分かれており、相対的に大量の空気流を吹き出す第１吹出口１１３と、第１吹出口よりは吐き出す空気流が少ない第２吹出口１１４とによって構成されている。なお、以降の説明においては、吸入口１１１側を上流側と称し、吹出口１１２側を下流側と称する。
【００１２】
本体ユニット１１０のうちハウジング１１６の上面中央付近には、スライド式のモードスイッチ１１５が設けられている。モードスイッチ１１５は、吹き出す空気流に美容成分を放出させる美容モードと放出させない非美容モードとを切り替える切替部として機能する。ユーザは、モードスイッチ１１５を操作して希望するモードに切り替える。また、本体ユニット１１０は、ハウジング１１６の下面側から下方へ突出し、グリップユニット１８０と接続するための端部を有する。
【００１３】
グリップユニット１８０は、一端側が本体ユニット１１０と回動可能に接続されており、ユーザは、グリップユニット１８０を本体ユニット１１０に対して使用時においては直立させ、収容時においては並行にして折り畳む。グリップユニット１８０は、把持部の中央付近にオンオフスイッチ１８１を有する。ユーザは、オンオフスイッチ１８１を３つのポジションのいずれかにスライドさせることができる。それぞれのポジションは、１つがオフポジション、１つが後述するヒータへの通電を遮断して冷風を送出させる冷風ポジション、１つが電熱線に通電して温風を送出させる温風ポジションである。
【００１４】
ユーザがモードスイッチ１１５を操作して美容モードに切り替えると、美容成分が混入した空気流が第２吹出口１１４から吐出される。美容成分は、美容成分保持部材としてのカートリッジ１５０に吸着保持されている。カートリッジ１５０は、本体ユニット１１０に対して交換可能に装着される。すなわち、美容成分を放出し尽くしたカートリッジ１５０は、新たなカートリッジ１５０に取り替えられる。これにより、ヘアドライヤー１００は、美容成分の放散を継続的に維持することができる。図２は、本体ユニット１１０がカートリッジ１５０を装着する様子を示す部分拡大図である。
【００１５】
ハウジング１１６の一部には開口部が設けられており、開口部は、通常の使用時には収容蓋１１７で覆われている。収容蓋１１７は、一端側に設けられたヒンジによりハウジング１１６に枢設されており、ユーザは、カートリッジ１５０の交換時に収容蓋１１７の他端側を持ち上げて開口部を開く。開口部の奥には装着部１１８が設けられており、ユーザはカートリッジ１５０を装着部１１８へ装着することができる。カートリッジ１５０を装着して収容蓋１１７を閉じれば、ユーザは、ヘアドライヤー１００の美容モードを機能させることができる。なお、カートリッジ１５０が装着されていない状態ではモードスイッチ１１５を美容モードに切り替えられないように、モードスイッチ１１５にロック機構を設けても良い。
【００１６】
図３は、図１の座標系で示すｘｚ平面と平行な断面で切断した、ハウジング１１６の中央断面の様子を模式的に示す図である。特に、分岐流である空気流Ｂ１を取り込む状態を表している。図は、主要な構成要素に限って表している。具体的には、ハウジング１１６内に配設されたヒータ１２１、モータ１２２、ファン１２３、霧化装置１３０と、遮断機構を構成する開閉蓋１２０および引込みばね１２５、装着部１１８に装着されたカートリッジ１５０を主に表している。
【００１７】
ファン１２３は、モータ１２２によって回転され、吸入口１１１から外気を取り込んで、吹出口１１２へ向けて空気流を発生させる。モータ１２２は、例えば直流モータであり、ファン１２３と共に送風装置として機能する。ヒータ１２１は、通電されることにより熱を発生し、ファン１２３で発生された空気流を加熱して温風に変換する。ヒータ１２１は、例えば電熱線であり、絶縁板に巻回されるなどしてハウジング１１６の中空部に位置するように固定されている。
【００１８】
ハウジング１１６の内部空間は、吸入口１１１から取り込まれた外気がファン１２３よりも下流側で二手に分流するように、内壁１１９によって２つに分割されている。すなわち、ファン１２３によって生成される空気流は、この内壁１１９によって、第１吹出口１１３へ向かう空気流Ｂ０と、第２吹出口１１４へ向かう空気流Ｂ１とに分かれる。
【００１９】
また、内壁１１９の下流側端部には遮断機構が設けられている。遮断機構は、第２吹出口１１４へ向かう流路の入口を開閉する機構である。具体的には、遮断機構は、ユーザによるモードスイッチ１１５のスライド操作に連動して、流路入口に設けられた開閉蓋１２０が開閉する。開閉蓋１２０は、一端部が内壁１１９の下流側端部に枢支されており、他端部が引込みばね１２５によりハウジング１１６の内壁面に向かって付勢されている。モードスイッチ１１５のうちユーザが操作する一端部とは反対側の他端部は、開閉蓋１２０の傾斜面に接触している。モードスイッチ１１５がスライド溝１２４に沿って美容モード側へスライドされると、開閉蓋１２０の傾斜面が押圧され、開閉蓋１２０は引込みばね１２５の付勢力に抗して回動し、流路入口を解放する。図３の断面図は、流路入口が解放された状態であり、空気流Ｂ１が第２吹出口１１４へ向かう流路を通過する様子を示している。
【００２０】
霧化装置１３０は、空気流Ｂ１の流路中に配設されている。霧化装置１３０は、周辺空気に含まれる水分を結露させ、結露した水分をミスト化（霧化）して空気流Ｂ１に付与する装置である。ファン１２３が回っている間に水分を結露させる場合には、空気流Ｂ１に含まれる水分を結露させる。すなわち、霧化装置１３０は、空気中の水分を凝縮してミスト（霧化された液滴）を生成する装置であり、本実施形態においては、直径が十〜数百ナノメートルの液滴を生成する。
【００２１】
霧化装置１３０は、主に、ペルチェ素子１３１、冷却板１３２、放熱フィン１３３および放電電極１３４を含む。ペルチェ素子１３１の吸熱面側には導電性の冷却板１３２が貼り合わされており、冷却板１３２は、ペルチェ素子１３１によって冷却される。冷却板１３２のうち空気流と触れる側の面である結露面は、空気中に含まれる水分を結露させ、液滴が付着する。すなわち、冷却板１３２は、ペルチェ素子１３１と協働して結露部として機能する。
【００２２】
ペルチェ素子１３１の発熱面側には放熱のための放熱フィン１３３が貼り合わされている。放熱フィン１３３から放出された熱は、空気流Ｂ１の一部に乗って第２吹出口１１４から外部に吐き出される。
【００２３】
放電電極１３４は、後述する電極回路に接続されており、冷却板１３２を接地電極として放電が発生するように、冷却板１３２から所定量離間して配置されている。放電電極１３４に高圧の負パルスが印加されると、放電電極１３４の先端部と冷却板１３２の間で放電が起こり、冷却板１３２の結露面に結露していた結露水が、レイリー分裂により、マイナスイオンに帯電したミストとなって飛散する。すなわち、霧化装置１３０は、マイナスイオンに帯電したミスト（静電霧化した液滴）を、空気流Ｂ１に付与する。
【００２４】
なお、霧化装置１３０のうち、結露部は直接的に空気流Ｂ１の流路中に配設されていなくても良い。結露面で結露した結露水が放電によりミスト化した場合に、当該ミストが空気流Ｂ１に誘引されるのであれば、空気流Ｂ１に直接晒されない箇所に配設することも可能である。結露面が直接的に空気流Ｂ１に晒されないのであれば、比較的大きな結露水を生成することも可能であり、放電によって生成するミストの大きさをコントロールしやすい。
【００２５】
カートリッジ１５０は、霧化装置１３０よりも下流側に設けられた装着部１１８に装着されている。マイナスイオンに帯電したミストがカートリッジ１５０の内部を通過すると、カートリッジ１５０に吸着保持された美容成分がミストに溶出し、第２吹出口１１４から吐出される空気流Ｂ１は、当該美容成分を適度に含んだ状態でユーザの毛髪へ到達する。
【００２６】
一方、ヒータ１２１は、第１吹出口１１３へ向かう空気流Ｂ０を温めるように、空気流Ｂ０の流路中に配設されている。したがって、ユーザがオンオフスイッチ１８１を温風ポジションに設定していれば、通電されたヒータ１２１が空気流Ｂ０を主に温める。
【００２７】
なお、図示するように、霧化装置１３０とヒータ１２１の間には内壁１１９が介在し、互いに隔離されているので、ヒータ１２１が発生する熱は、霧化装置１３０の結露部に到達しにくい。したがって、結露部は、より多くの水分を結露させることができる。また、内壁１１９は、ヒータ１２１の熱をより遮断するように、断熱性の高い素材で形成されると良い。あるいは、内壁１１９の表面に熱移動を遮断する断熱シートを貼着すると良い。
【００２８】
図４は、図３と同様の中央断面図であり、特に、空気流Ｂ１の進入を遮断する状態を表している。図３に示す状態から、モードスイッチ１１５がスライド溝１２４に沿って非美容モード側へスライドされると、モードスイッチ１１５の他端側が開閉蓋１２０の傾斜面を押圧する力が弱まる。すると、モードスイッチ１１５による押圧力よりも引込みばね１２５の付勢力が勝り、開閉蓋１２０はハウジング１１６の内壁面側へ回動し、第２吹出口１１４へ向かう流路の入口を閉塞する。流路入口が開閉蓋１２０によって閉塞されると、空気流Ｂ１の流入が遮断される。ひいては、空気流Ｂ１のカートリッジ１５０への流入が遮断される。
【００２９】
換言すれば、ユーザがモードスイッチ１１５をスライドさせて非美容モードに切り替えた状態においては、空気流Ｂ１はカートリッジ１５０へ供給されない。ファン１２３によって生成された空気流は、空気流Ｂ０として第１吹出口１１３へ向かう。したがって、カートリッジ１５０に吸着保持された美容成分が空気流Ｂ１に供給されることがなく、非美容モード時における美容成分の消費を抑制することができる。
【００３０】
図５は、ヘアドライヤー１００のシステム構成図である。ヘアドライヤー１００は、例えばマイクロプロセッサである制御部１９０によって電気系統の全体が制御される。オンオフスイッチ１８１のスイッチ状態、およびモードスイッチ１１５のスイッチ状態は、電気的に検出されて制御部１９０へ伝達される。制御部１９０は、これらのスイッチ状態に応じて各回路を制御する。制御対象は、主に、ヒータ回路１９１、モータ回路１９２、ペルチェ回路１９３および電極回路１９４である。
【００３１】
ヒータ回路１９１は、ヒータ１２１に通電して一定の発熱状態を保つ回路である。制御部１９０は、オンオフスイッチ１８１が温風ポジションであるときに、ヒータ回路１９１が機能するように制御する。モータ回路１９２は、モータ１２２に通電してファン１２３を一定の回転速度で回転させる回路である。制御部１９０は、オンオフスイッチ１８１が冷風ポジションまたは温風ポジションであるときに、モータ回路１９２が機能するように制御する。
【００３２】
ペルチェ回路１９３は、ペルチェ素子１３１を駆動して吸熱面から発熱面へ熱移動させる回路である。制御部１９０は、結露部で結露水を生成するときに、ペルチェ回路１９３が機能するように制御する。電極回路１９４は、放電電極１３４に高圧の負パルスを印加して、放電電極１３４と冷却板１３２の間で周期的に放電を発生させる回路である。制御部１９０は、モードスイッチ１１５が美容モードに設定されているときに、電極回路１９４が機能するように制御する。
【００３３】
図６は、カートリッジ１５０の全体斜視図である。カートリッジ１５０は、上述のように、美容成分を吸着保持する美容成分保持部材である。吸着保持する美容成分は、霧化装置１３０で発生したミストを媒体として空気流Ｂ１に放出される。美容成分は、例えば保湿性を有するものとして、タンパク質、ムコ多糖、コラーゲン、エラスチン、ケラチン、ビタミン類等が挙げられる。なお、美容成分としては、上記した以外のものも任意に選択して用いることができるが、毛髪等における保湿性等を向上させてキューティクルの痛みを回復させる等の観点から、美容成分としてはコラーゲンを含むことが好ましい。
【００３４】
また、例えばコラーゲンなどに担持させるなどの態様により、金属微粒子を美容成分として採用することもできる。美容成分となり得る金属としては、金、銀、銅、白金、亜鉛、チタンが候補として挙げられる。このような金属微粒子は、毛髪に付着して抗菌作用や抗酸化作用を生じさせることができる。特に白金の微粒子は、抗酸化作用が極めて高いことが知られており、美容成分として採用すると良い。
【００３５】
カートリッジ１５０は、本体部１５１と、本体部１５１に複数設けられた貫通孔１５２によって構成されている。本体部１５１は、多孔質素材が用いられることが好ましく、例えばセラミック焼結体である。多孔質素材の空隙は、美容成分を吸着保持させる空間として利用できるので、本体部１５１は、多孔質素材でない場合に比べて多量の美容成分を保持することができる。
【００３６】
複数の貫通孔１５２は、カートリッジ１５０が装着部１１８に装着された場合に、空気流Ｂ１に沿うように設けられている。換言すると、装着部１１８は、貫通孔１５２が空気流Ｂ１に沿う向きにカートリッジ１５０が装着されるよう、収容形状が規定されている。したがって、空気流Ｂ１の少なくとも一部は、貫通孔１５２の内部を通過する。
【００３７】
霧化装置１３０で生成されたミストを含む空気流Ｂ１が貫通孔１５２を通過したときに、当該ミストが貫通孔１５２の内面と接触して美容成分を溶かし込むように、当該美容成分は、貫通孔の内面に一定の厚みをもって吸着されている。貫通孔１５２の内面に吸着保持された美容成分が、ヘアドライヤー１００の使用により消費され、多孔質素材の空隙から滲出する美容成分も消尽されると、カートリッジ１５０は交換時期を迎える。このようなカートリッジ１５０の構成を採用すれば、美容成分を保持する部材と、それを取り囲むケースのような二重構造を採用する必要がないので、保持量を増大させつつも全体としてコンパクトに仕上げることができる。
【００３８】
次に、他の実施例について説明する。図７は、他の実施例における本体ユニット１１０’のハウジング１１６の中央断面の様子を模式的に示す図である。図７は、図３と同様の断面図であり、同じ機能を有する要素については、図３と同じ符番を付してその説明を省略する。本体ユニット１１０’は、上述の本体ユニット１１０に対して、主に、遮断機構の構成が異なる。
【００３９】
本体ユニット１１０’におけるモードスイッチ１１５は、スライド溝１２４に沿って美容モードと非美容モードが切り替えられるが、その操作に応じて他の機構を機械的に動作させる機能を備えない。本体ユニット１１０’は、遮断機構としてシャッタ１２６を備える。シャッタ１２６は、カートリッジ１５０に対して空気流Ｂ１の吸入側近傍に立設されている。シャッタ１２６は、スライド溝１２４が美容モード側に操作された場合に、不図示のアクチュエータによって駆動されて開口する。また、スライド溝１２４が非美容モード側に操作された場合に、当該アクチュエータによって駆動されて閉口する。
【００４０】
また、内壁１１９には、シャッタ１２６が立設されている箇所よりも上流側に、接続口１２７が設けられている。接続口１２７は、第１吹出口１１３へ向かう流路と第２吹出口１１４へ向かう流路を、空間的に接続する。
【００４１】
図８は、シャッタ１２６の閉口時における空気流Ｂ１の流れを模式的に示す図である。シャッタ１２６は、主に固定枠１２６ａと移動枠１２６ｂから構成されている。固定枠１２６ａおよび移動枠１２６ｂのそれぞれには、複数のスリット１２６ｃが設けられている。固定枠１２６ａは、カートリッジ１５０に対して固定されており、移動枠１２６ｂは、不図示のアクチュエータによって移動される。図の状態において、固定枠１２６ａのスリット１２６ｃと移動枠１２６ｂのスリット１２６ｃは、互いにずれており、シャッタ１２６としては、閉口した状態である。
【００４２】
このとき、上流側から到来する空気流Ｂ１は、シャッタ１２６に阻まれ、カートリッジ１５０側へ到達できない。すなわち、空気流Ｂ１のカートリッジ１５０への流入が遮断される。したがって、ユーザがモードスイッチ１１５をスライドさせて非美容モードに切り替えた状態においては、空気流Ｂ１はカートリッジ１５０へ供給されず、美容成分の消費を抑制することができる。
【００４３】
シャッタ１２６に進行を阻まれた空気流Ｂ１は、接続口１２７に引き込まれる。すなわち、空気流Ｂ１は、接続口１２７から誘引されて空気流Ｂ０に合流する。したがって、本実施例の場合は、空気流Ｂ１は、霧化装置１３０を通過するが、カートリッジ１５０へは進入せず、また、霧化装置１３０を通過した空気流Ｂ１の一部は、接続口１２７から抜けて空気流Ｂ０と合流する。
【００４４】
霧化装置１３０を通過するがカートリッジ１５０を通過しない空気流路が存在すると、非美容モード時にも結露部の結露面を冷却して美容モードの実行に備えて結露水を生成する場合に都合が良い。すなわち、ユーザがモードスイッチ１１５を美容モードに切り替えて美容モードを実行する時点で結露部に水分が蓄えられている状態が好ましいので、制御部１９０は、非美容モード時においてもペルチェ回路１９３を駆動し、結露水を生成する。もちろん、非美容モードの間は、放電電極１３４に印加せず放電を発生させない。結露部は、結露部周りの空気を冷却して水分を析出させるので、多くの結露水を生成するためには、水分を含んだ新しい空気が順次供給されることが望ましい。接続口１２７は、このような空気の流れをつくる機能を担う。
【００４５】
図９は、シャッタ１２６の開口時における空気流Ｂ１の流れを模式的に示す図である。移動枠１２６ｂが不図示のアクチュエータによって移動されると、固定枠１２６ａのスリット１２６ｃと移動枠１２６ｂのスリット１２６ｃは、互いに一致し、シャッタ１２６としては、開口した状態となる。
【００４６】
このとき、上流側から到来する空気流Ｂ１は、シャッタ１２６を通過し、カートリッジ１５０へ進入する。したがって、ユーザがモードスイッチ１１５をスライドさせて美容モードに切り替えた状態においては、空気流Ｂ１は、カートリッジ１５０を通過して美容成分を含み、第２吹出口１１４から放出されてユーザの毛髪へ到達する。
【００４７】
なお、本実施例おけるヘアドライヤー１００は、シャッタ１２６の移動枠１２６ｂを駆動するアクチュエータとその駆動回路を備え、制御部１９０がこれらを駆動する。制御部１９０は、ユーザが美容モードから非美容モードに切り替えたらシャッタ１２６を開口状態から閉口状態へ変化させ、非美容モードから美容モードに切り替えたらシャッタ１２６を閉口状態から開口状態へ変化させる。
【００４８】
以上のような構成により本実施形態に係るヘアドライヤー１００は、使用するユーザの毛髪や頭皮に美容成分を供給することができる。したがって、毛髪の表面におけるキューティクルの剥離等のような髪のダメージをより効果的に修復し、さらには毛髪の保湿もより効果的に行うことができる。特に、ヘアドライヤー１００は、ユーザが使用するたびにミストと美容成分を毛髪に供給することができるので、使用し続けることでキューティクルをより引き締めることができ、ブラッシングや温風による加熱等によるダメージを抑え、毛髪をより保湿性の高い状態に維持することができる。また、頭皮における皮脂の発生を抑制して毛穴を清潔な状態に保つことができる。さらにヘアカラーを行った場合の退色も抑制でき、染めた毛髪色を長期間に亘って維持することも期待できる。また、ヘアドライヤー１００は、マイナスイオンも毛髪や頭皮に供給することができるので、毛髪のキューティクルをより引き締めることができ、より高い保湿性を維持することができる。また、美容成分の供給を必要としない非美容モードを選択していれば、美容成分の消費を抑制することができる。
【００４９】
また、以上説明した本実施形態に係るヘアドライヤー１００は、放電電極１３４に負のパルスを印加してマイナスイオンを発生させたが、正のパルスを印加してプラスイオンを発生させても良い。正のパルスを印加して放電を発生させると、プラスイオンに帯電したミストが発生する。この場合は、プラスイオンがユーザの毛髪に到達し、プラスイオンによる抗菌効果などが期待できる。また、放電電極１３４に印加するパルスの極性を変化させることにより、マイナスイオンとプラスイオンをシーケンシャルに発生させても良い。また、放電電極１３４を複数設けて、プラスイオンとマイナスイオンを同時に発生させるようにしても良い。
【００５０】
また、以上説明した本実施形態に係るヘアドライヤー１００は、美容成分保持部材として交換式のカートリッジ１５０を採用したが、カートリッジ式ではなく、例えば美容成分を外部から注入できるような美容成分保持部材を採用しても良い。この場合の美容成分保持部材は、本体ユニット１１０に固定されていて良い。また、貫通孔１５２の内面は、本体１５１の素材とは別素材であっても良い。
【符号の説明】
【００５１】
１００  ヘアドライヤー、１１０、１１０’  本体ユニット、１１１  吸入口、１１２  吹出口、１１３  第１吹出口、１１４  第２吹出口、１１５  モードスイッチ、１１６  ハウジング、１１７  収容蓋、１１８  装着部、１１９  内壁、１２０  開閉蓋、１２１  ヒータ、１２２  モータ、１２３  ファン、１２４  スライド溝、１２５  引込みばね、１２６  シャッタ、１２６ａ  固定枠、１２６ｂ  移動枠、１２６ｃ  スリット、１２７  接続口、１３０  霧化装置、１３１  ペルチェ素子、１３２  冷却板、１３３  放熱フィン、１３４  放電電極、１５０  カートリッジ、１５１  本体部、１５２  貫通孔、１８０  グリップユニット、１８１  オンオフスイッチ、１９０  制御部、１９１  ヒータ回路、１９２  モータ回路、１９３  ペルチェ回路、１９４  電極回路
【図１】
2019111153.tif 000003
【図２】
2019111153.tif 000004
【図３】
2019111153.tif 000005
【図４】
2019111153.tif 000006
【図５】
2019111153.tif 000007
【図６】
2019111153.tif 000008
【図７】
2019111153.tif 000009
【図８】
2019111153.tif 000010
【図９】
2019111153.tif 000011